(57)【要約】【課題】電柱を支える支線に対する蔓性植物の巻き上がりをより確実に防止する。【解決手段】支線１４に回転自在に取り付けられ、支線１４を巻き上がる蔓性植物Ｐを当接させる当接部を下面に有して外周が凹凸形状に形成されている回転体１０５に、回転体１０５に回転力を付与する風車１０６（回転力付与機構）を設け、支線１４に固定されたストッパによって回転体１０５の自由落下を規制する。風車１０６は風を受けると回転し、風車１０６の回転と共に回転体１０５も回転する。これにより、回転体１０５の外周に形成された凹凸形状部分が上方に巻き上がろうとする蔓性植物Ｐに衝突し、蔓性植物Ｐは回転体の中心から遠ざかる方向に導かれ、いずれ自重で垂れ下がる。【選択図】図８
2009131102.tif 000002
【特許請求の範囲】
【請求項１】
電柱の支線に回転自在に取り付けられ、前記支線を巻き上がる蔓性植物を当接させる当接部を下面に有して外周が凹凸形状に形成されている回転体と、
前記回転体に設けられ、当該回転体に回転力を付与する回転力付与機構と、
前記支線に固定されることで前記回転体の自由落下を規制するストッパと、
を備える蔓性植物巻き上がり防止装置。
【請求項２】
前記回転力付与機構は、受けた風の力を前記回転体の回転力に変換して当該回転体を回転させる風車によって形成されている、請求項１記載の蔓性植物巻き上がり防止装置。
【請求項３】
前記回転力付与機構は、
前記回転体に取り付けられた太陽電池と、
前記太陽電池を動力源とするモータと、
前記モータの回転駆動力を前記支線側に伝達することによって前記回転体を回転させる動力伝達機構と、
によって形成されている、請求項１記載の蔓性植物巻き上がり防止装置。
【請求項４】
前記回転体は、その軸心方向に対向する上下一対の支持体を、前記回転体の回転中心を中心とする中央領域を取り囲む形状で配列された複数本の棒状部材で連結することによって形成されている、請求項１ないし３のいずれか一記載の蔓性植物巻き上がり防止装置。
【請求項５】
前記一対の支持体の間には、前記中央領域に位置させて前記回転体と回転軸を共通にするサボニウス型の風車が前記回転力付与機構として取り付けられている、請求項４記載の蔓性植物巻き上がり防止装置。
【発明の詳細な説明】
【技術分野】
【０００１】
本発明は、電柱を支持する支線に蔓性植物が巻き上がるのを防止するための蔓性植物巻き上がり防止装置に関する。
【背景技術】
【０００２】
電柱には、これを支持するための支線が設置されていることがある。支線は、一般的に、地表面から電柱に向かって斜めに敷設されるワイヤによって構成されている（図１の符号１４参照）。このような支線の構造上、草木が多い地帯では、葛や蔦等の蔓性植物が支線を巻き上がっていく場合があり、これが地絡事故を引き起こす原因になる。つまり、蔓性植物は支線から電柱に巻き上がって電線や充電部に達することがあり、この場合には電流が蔓性植物を伝わって地表へ流れ、地絡事故の原因になる。
【０００３】
そこで、従来、支線の途中に蔓性植物巻き上がり防止装置を取り付け、この装置によって蔓性植物の巻き上がりを防止することが提案され、現実に実施されている。例えば、特許文献１には、「円筒体と該円筒体の下部に連接するように円筒体より太径の椀形体とを組み合わせて構成」した電柱支線用蔓巻防止具が記載されており、連接された円筒体及び椀形体の中心に支線が通るような位置で支線に固定されて使用されることが示されている（段落０００７等参照）。そして、特許文献１には、支線を巻き上がる蔓を先ずは椀形体の内側面で阻み、なおも椀形体の内側から外側に延出して円筒体に巻き付いてきた蔓をその自重や風圧で地表に向けて垂れ下がらせ、これによって支線に蔓が巻き上がることを防止することが記載されている（段落０００８参照）。
【０００４】
【特許文献１】特開平０８−２０５３６８号公報
【特許文献２】特開平１１−３５０７９１号公報
【特許文献３】実開平０６−０８２３２０号公報
【発明の開示】
【発明が解決しようとする課題】
【０００５】
従来、支線に蔓性植物が巻き上がることを防止するための方策としては、例えば上記特許文献１に記載されているように、支線に固定物を固定することで、蔓性植物の巻き上がりを防止するという方策が採用されている。
【０００６】
しかしながら、本出願の出願人は、支線に固定物を固定するという方策を採用した蔓性植物巻き上がり防止装置を現実に使用したところ、蔓性植物の巻き上がりを確実に防止することができないという結果を得た。このようなことから、蔓性植物巻き上がり防止装置を支線に設置した上で、蔓性植物が支線を巻き上がることであろう時期を見計らって巡視員が現地に出向き、蔓性植物巻き上がり防止装置を越えて更に支線を巻き上がる蔓性植物を鎌などの刃物で切断しているのが現状である。
【０００７】
なお、特許文献２には、太陽電池を動力源として回転させた腕に取り付けられたカッタで巻き上がろうとする蔓性植物を切断するようにした発明が記載されている。また、特許文献３には、支線に回転自在に取り付けた３枚の板を風で揺らして蔓性植物の巻き上がりを防止するようにした発明が記載されている。しかしながら、これらの特許文献２、３に記載されている発明の有効性については、確認が取れていない。
【０００８】
本発明は、このような点に鑑みなされたもので、支線に対する蔓性植物の巻き上がりをより確実に防止できるようにすることを目的とする。
【課題を解決するための手段】
【０００９】
本発明の蔓性植物巻き上がり防止装置は、電柱の支線に回転自在に取り付けられ、前記支線を巻き上がる蔓性植物を当接させる当接部を下面に有して外周が凹凸形状に形成されている回転体と、前記回転体に設けられ、当該回転体に回転力を付与する回転力付与機構と、前記支線に固定されることで前記回転体の自由落下を規制するストッパと、を備える（請求項１）。
【００１０】
前記回転力付与機構としては、一例として、受けた風の力を前記回転体の回転力に変換して当該回転体を回転させる風車によって形成されたものを用いることができ（請求項２）、別の一例として、前記回転体に取り付けられた太陽電池と、前記太陽電池を動力源とするモータと、前記モータの回転駆動力を前記支線側に伝達することによって前記回転体を回転させる動力伝達機構と、によって形成されているものを用いても良い（請求項３）。
【００１１】
前記回転体は、一例として、その軸心方向に対向する上下一対の支持体を、前記回転体の回転中心を中心とする中央領域を取り囲む形状で配列された複数本の棒状部材で連結することによって形成することができる（請求項４）。この場合、前記一対の支持体の間に、前記中央領域に位置させて前記回転体と回転軸を共通にするサボニウス型の風車が前記回転力付与機構として取り付けてもよい（請求項５）。
【発明の効果】
【００１２】
本発明によれば、電柱の支線を巻き上がって回転体の外周まで蔓性植物が回り込んだ場合、回転力付与機構によって回転力を付与されて回転する回転体の外周に形成された凹凸が蔓性植物に連続的に衝突し、これにより、蔓性植物を回転体の回転中心から遠ざかる方向に向かわせることができ、その結果、蔓性植物をその自重によって地表面に向かわせ、支線を巻き上がることを確実に防止することができる。
【発明を実施するための最良の形態】
【００１３】
本発明の実施の形態を図面に基づいて説明する。
【００１４】
図１は、電柱の支線に蔓性植物巻き上がり防止装置が取り付けられている状態の一例を示す正面図である。地表面ＧＳに立設する電柱１１には複数本の電線１２が敷設されており、電線１２に接続される充電部１３も設置されている。敷設された電線１２は、その自重等によって電柱１１に強い引っ張りを与える。このため、電線１２の取り付け状態や本数等によっては電柱１１がある方向から強く引っ張られ、支持が必要になることがある。この際に用いられるのが、支線１４である。支線１４は、代表的には、地表面ＧＳから電柱に向かって斜めに敷設されるワイヤーによって形成されている。
【００１５】
このような支線１４の構造上、草木が多い地帯に設置された電柱１１では、葛や蔦等の蔓性植物Ｐ（図８参照）が支線１４を巻き上がっていくことがあり、前述したように、これが地絡事故を引き起こす原因になる。つまり、蔓性植物Ｐは支線１４から電柱１１に巻き上がって電線１２や充電部１３に達し、この場合には電流が蔓性植物Ｐを伝わって地表へ流れる。そこで、図１に示すように、支線１４に蔓性植物巻き上がり防止装置１０１を取り付け、蔓生植物巻き上がり防止装置１０１よりも上方に蔓性植物Ｐが巻き上がらないように対処している。
【００１６】
以下、そのような蔓性植物巻き上がり防止装置１０１について、いくつかの実施の形態を紹介する。
【００１７】
（第１の実施の形態）
本発明の蔓性植物巻き上がり防止装置の第１の実施の形態を図２ないし図８に基づいて説明する。
【００１８】
図２は、蔓性植物巻き上がり防止装置１０１を構成する装置本体（回転体及び回転力付与機構）の斜視図である。蔓性植物巻き上がり防止装置１０１の装置本体１０２は、上下一対の支持体１０３を複数本の棒状部材１０４によって連結することによって形成されている回転体１０５の内部に、回転力付与機構としての風車１０６が一体に取り付けられて構成されている。蔓性植物巻き上がり防止装置１０１は、こうして構成された装置本体１０２を主体に、後述するストッパ１０７（図４及び図５参照）が付加されて構成されている。
【００１９】
上下一対の支持体１０３は、平板円板形状の上支持体１０３ａと椀形状の下支持体１０３ｂとによって形成されている。下支持体１０３ｂは、図２等の各図では図示しないが、その下面が凹状にへこんでおり、このへこんだ部分を当接部１０８（図３参照）としている。また、上下一対の支持体１０３には、その中心部分に挿通孔１０９が形成されている。便宜上、上支持体１０３ａに形成されている挿通孔１０９を上挿通孔１０９ａ、下支持体１０３ｂに形成されている挿通孔１０９を下挿通孔１０９ｂ（図３参照）と呼ぶ。これらの挿通孔１０９（上挿通孔１０９ａ、下挿通孔１０９ｂ）は、前述した電柱１１を支持する支線１４を所定の遊びをもって挿通させるためのものである。
【００２０】
棒状部材１０４は、上下一対の支持体１０３の外周縁に沿ってその僅かに内周側に上下から螺子１１０で固定され、上下一対の支持体１０３を一体的に連結固定している。本実施の形態の回転体１０５では、棒状部材１０４が八本設けられており、それらの棒状部材１０４は等間隔で配列されている。したがって、結果的に、八本の棒状部材１０４は、回転体１０５の回転中心を中心とする中央領域を取り囲む形状で配列されている。螺子１１０については、便宜上、上支持体１０３ａの上面から棒状部材１０４を固定している螺子１１０を上螺子１１０ａ、下支持体１０３ｂの下面である当接部１０８から棒状部材１０４を固定している螺子１１０を下螺子１１０ｂ（図３参照）と呼ぶ。
【００２１】
風車１０６は、円筒をその軸心を中心としてその軸方向と直交する方向に二分割した形状の一対の基体１１１がその軸方向と直行する方向に平行にずらされた形状をしているサボニウス型の風車である。風車１０６を構成する一対の基体１１１にも、一対の支持体（上支持体１０３ａ、下支持体１０３ｂ）に形成されている挿通孔（上挿通孔１０９ａ、下挿通孔１０９ｂ）と同様に、上下一対の挿通孔１１２が形成されている（図７参照）。便宜上、上方に形成されている挿通孔１１２を上挿通孔１１２ａ、下方に形成されている挿通孔１１２を下挿通孔１１２ｂと呼ぶ。これらの挿通孔１１２（上挿通孔１１２ａ、下挿通孔１１２ｂ）も、前述した電柱１１を支持する支線１４を所定の遊びをもって挿通させるためのものである。
【００２２】
ここで、一対の支持体１０３（上支持体１０３ａ、下支持体１０３ｂ）に形成されている一対の挿通孔１０９（上挿通孔１０９ａ、下挿通孔１０９ｂ）と、風車１０６を構成する基体１１１の上下に形成されている一対の挿通孔１１２（上挿通孔１１２ａ、下挿通孔１１２ｂ）とは、いずれも回転体１０５及び回転力付与機構である風車１０６の回転中心を通る一直線上に位置付けられている。そして、これらの各挿通孔１０９（上挿通孔１０９ａ、下挿通孔１０９ｂ）及び挿通孔１１２（上挿通孔１１２ａ、下挿通孔１１２ｂ）は、所定の遊びをもって支線１４を挿通させるためのワイヤ挿通孔１１３を構成する。このように、ワイヤ挿通孔１１３は支線１４に対して遊びをもつため、支線１４に取り付けられた状態の装置本体１０２は、支線１４に対して回転自在である。
【００２３】
図３は、蔓性植物巻き上がり防止装置１０１を構成する装置本体１０２の底面図である。装置本体１０２の底面は、前述した当接部１０８となっている。また、装置本体１０２の底面には、電柱１１を支持する支線１４を挿通させるための下挿通孔１０９ｂと、棒状部材１０４を固定するための前述した下螺子１１０ｂとが見えている。
【００２４】
図４は、ストッパ１０７の斜視図である。ストッパ１０７は、例えば蔓性植物巻き上がり防止装置１０１の回転体１０５よりも遥かに小径の円柱状部材であり、その中心部にはその軸方向に貫通するワイヤ挿通孔１１４が形成されている。このワイヤ挿通孔１１４は、電柱１１を支持する支線１４を挿通させるためのものである。ストッパ１０７には、更に、その外周面の一部からワイヤ挿通孔１１４まで貫通している一対のストッパ螺子孔１１５が形成されており、これらのストッパ螺子孔１１５には一対の固定螺子１１６が螺合している。これらの固定螺子１１６は、締め付けることによってその先端部がワイヤ挿通孔１１４に飛び出す長さに形成されている。
【００２５】
図５は、電柱１１の支線１４に対する蔓性植物巻き上がり防止装置１０１の取り付け構造を説明するための分解斜視図である。電柱１１を支持する支線１４には、予め、蔓性植物巻き上がり防止装置１０１の装置本体１０２とストッパ１０７とを挿通させておく。装置本体１０２が上方位置、ストッパ１０７が下方位置となるようにである。支線１４の挿通は、それぞれ、装置本体１０２のワイヤ挿通孔１１３とストッパ１０７のワイヤ挿通孔１１４とに対して行なう。この状態で、装置本体１０２が所望の高さに位置付けられるように、ストッパ１０７の固定螺子１１６を締め込む。これにより、固定螺子１１６の先端部がワイヤ挿通孔１１４から飛び出し、ワイヤ挿通孔１１４に挿通している支線１４が固定螺子１１６に締め付けられてストッパ１０７が支線１４に固定される。この状態では、装置本体１０２の底面をなしている当接部１０８がストッパ１０７に当接し、装置本体１０２の自由落下が規制される。したがって、装置本体１０２は、ストッパ１０７によって定められた高さ位置に、支線１４の周りを自由に回転することができる状態で支線１４に保持されることになる。
【００２６】
図６は、装置本体１０２（回転体１０５及び回転力付与機構である風車１０６）の分解斜視図である。この斜視図は、支持体１０３のうちの上支持体１０３ａから上方に位置する部材を下方から見た斜視図として表現し、複数本の棒状部材１０４から下方に位置する部材を上から見た斜視図として表現している。一対の支持体１０３（上支持体１０３ａ、下支持体１０３ｂ）には、サボニウス型の風車１０６の上下面形状に合わされた段部１１７が形成されている。便宜上、上支持体１０３ａに形成されている段部１１７を上段部１１７ａ、下支持体１０３ｂに形成されている段部１１７を下段部１１７ｂと呼ぶ。このような段部１１７を有する支持体１０３は、一例として、樹脂モールド成型によって容易に製造することが可能である。もっとも、支持体１０３は、樹脂モールド成型のみならず、例えば板金やアルミダイキャスト製法等によって形成することも可能である。アルミダイキャスト製法による場合には、樹脂モールド成型と同様に、段部１１７を形成することができる型（図示せず）を用いることで、容易に段部１１７を成型することができる。支持体１０３として板金を用いる場合には、プレス加工によって段部１１７を形成することができる。プレス加工は、下支持体１０３ｂの下面に形成されている凹状のへこみの成形も可能とする。
【００２７】
上下一対の支持体１０３（上支持体１０３ａ、下支持体１０３ｂ）には、それぞれ、螺子１１０（上螺子１１０ａ、下螺子１１０ｂ）を挿通させるための螺子挿通孔１１８が形成されている。便宜上、上支持体１０３ａに形成されている螺子挿通孔１１８を上螺子挿通孔１１８ａ、下支持体１０３ｂに形成されている螺子挿通孔１１８を下螺子挿通孔１１８ｂと呼ぶ。そして、棒状部材１０４の上端には上螺子１１０ａが螺合する上螺子孔１１９ａが形成されており、棒状部材１０４の端部には下螺子１１０ｂが螺合する下螺子孔（図示せず）が形成されている。棒状部材１０４は、一例として鉄等の金属材料によって形成され、別の一例として、強化プラスチック等の樹脂材料によって形成されている。
【００２８】
図７は、回転力付与機構であるサボニウス型の風車１０６の分解斜視図である。風車１０６は、前述したように、円筒をその軸心を中心としてその軸方向と直交する方向に二分割した形状の一対の基体１１１を接合させることによって形成されている。一対の基体１１１は、一例として、樹脂モールド成型によって容易に製造することが可能である。もっとも、一対の基体１１１は、樹脂モールド成型のみならず、例えば板金やアルミダイキャスト製法等によって形成することも可能である。このような一対の基体１１１の接合は、図６に示すように、一対の基体１１１をその軸方向と直行する方向に平行にずらした状態で行なう。つまり、装置本体１０２の製作時、図６に示すように、上支持体１０３ａの上段部１１７ａに基体１１１の上端部を嵌め込み、下支持体１０３ｂの下段部１１７ｂに基体１１１の下端部を嵌め込むことで、一対の基体１１１はその軸方向と直行する方向に平行にずらされた状態で接合される。こうして、サボニウス型の風車１０６が製作される。
【００２９】
図６を参照しての説明に戻る。風車１０６を挟み込んだ一対の支持体１０３は、互いに対向配置される。そこで、上支持体１０３ａの上螺子挿通孔１１８ａに棒状部材１０４の上端に形成された上螺子孔１１９ａを位置合わせし、下支持体１０３ｂの下螺子挿通孔１１８ｂに棒状部材１０４の下端に形成された下螺子孔（図示せず）を位置合わせする。そして、ワッシャＷを通した上螺子１１０ａを上螺子挿通孔１１８ａに挿通させて棒状部材１０４の上螺子孔１１９ａに螺合させて締め込み、ワッシャＷを通した下螺子１１０ｂを下螺子挿通孔１１８ｂに挿通させて棒状部材１０４の下螺子孔（図示せず）に螺合させて締め込む。これにより、風車１０６を構成する基体１１１を挟み込んだ状態の一対の支持体１０３（上支持体１０３ａ、下支持体１０３ｂ）が八本の棒状部材１０４に連結結合固定され、装置本体１０２が製作される。
【００３０】
ここで、図８を参照し、蔓性植物巻き上がり防止装置１０１の作用について説明する。図８は、蔓性植物巻き上がり防止装置１０１が蔓性植物Ｐの巻き上がりを防止している状態を説明するための斜視図である。蔓性植物巻き上がり防止装置１０１は、前述したように、電柱１１を支持する支線１４に回転自在に取り付けられている。そして、サボニウス型の風車１０６は、風向に応じていずれの方向にも回転し、回転体１０５に何れの方向の回転力をも付与する。そこで、図８に白抜き矢印で示すように、風車１０６と一体に連結結合された回転体１０５は、風向きに応じて風車１０６と共にいずれの方向にも回転する。
【００３１】
蔓性植物Ｐは、例えば春から夏にかけて盛んに繁殖し、電柱１１を支持する支線１４を巻き上がる。蔓性植物巻き上がり防止装置１０１にまで達した蔓性植物Ｐは、まず、装置本体１０２の下面に形成されている当接部１０８に当接する。すると、当接部１０８を含む下支持体１０３ｂの下面は凹状にへこんだ椀形状をしていることから、当接部１０８に当接した蔓性植物Ｐは、その椀形状に沿って下方に進行方向を向ける。図８中、この状態をＡで指し示す丸形一点鎖線で示している。
【００３２】
これに対して、下支持体１０３ｂの下面の椀形状に沿って一旦は下方に進行方向を向けた蔓性植物Ｐが、再度上方に進行方向を向けて装置本体１０２を巻き上がることが予想される。この際、装置本体１０２は、前述したように、風車１０６と一体に連結結合された回転体１０５が風向きに応じて風車１０６と共に回転する。これにより、回転体１０５の外周に凹凸形状を与える複数本の棒状部材１０４が巻き上がってきた蔓性植物Ｐに繰り返し連続的に衝突する。すると、蔓性植物Ｐは、回転体１０５から逃れようとし、回転体１０５の回転中心から遠ざかる方向に進路を変える。図８中、この状態をＢで指し示す丸形一点鎖線で示している。その結果、蔓性植物Ｐはいずれ自重で垂れ下がり、地表面ＧＳに向かう。したがって、蔓性植物Ｐが電柱１１を支持する支線１４を巻き上がることを確実に防止することができ、地絡事故防止が図られる。
【００３３】
ここで、本実施の形態では、回転体１０５に回転力を付与する回転力付与機構として風車１０６を用いていることから、自然エネルギーをそのままの形態で風車１０６の回転に応じた回転体１０５の回転に変換することができる。その結果、地球環境に与える負荷を極力小さくすることができる。
【００３４】
また、風車１０６としてサボニウス型の風車１０６を採用したことから、風をエネルギー源として高効率に回転体１０５を回転駆動することができる。
【００３５】
更に、風車１０６を回転体１０５の内部に配置して一体的に形成したことにより、装置全体の小型化を実現することができる。しかも、装置本体１０２では、風車１０６が構造体の一部を構成しているため、部品点数の減少やそれに伴う構造の単純化を図ることができる。
【００３６】
（第２の実施の形態）
本発明の蔓性植物巻き上がり防止装置の第２の実施の形態を図９に基づいて説明する。第１の実施の形体と同一部分は同一符号で示し説明も省略する。
【００３７】
図９は、蔓性植物巻き上がり防止装置１０１の装置本体１０２（回転体１０５及び回転力付与機構としての風車１０６）を示す斜視図である。本実施の形態が第１の実施の形態の蔓性植物巻き上がり防止装置１０１と相違する点は、下支持体１０３ｂの形状のみである。本実施の形態の下支持体１０３ｂは、下方に向かうに従い開口面積が拡大する第１の実施の形態の下支持体１０３ｂの形状とは反対に、下方に向かうに従い開口面積が縮小する形状に形成されている。そして、図９には図示しないが、下支持体１０３ｂの下面は、凹状にへこんでおらず、平面形状をなしている。その平面形状をなす面が当接部１０８である。
【００３８】
もっとも、このような下支持体１０３ｂの下面形状は、下支持体１０３ｂをそれのみに限定するものではなく、第１の実施の形体と同様に、凹状にへこんだ形状であってもよい。
【００３９】
このような構成において、電柱１１を支持する支線１４を巻き上がり蔓性植物巻き上がり防止装置１０１の当接部１０８に当接した蔓性植物Ｐは、第１の実施の形体とは異なり、むしろ装置本体１０２を構成する回転体１０５の外周に回り込む方向に進行方向を向ける。下支持体１０３ｂの下部は、下方に向かうに従い絞られた形状をしていることから、その形状が蔓性植物Ｐの進行を補助するからである。ところが、装置本体１０２は、前述したように、風車１０６と一体に連結結合された回転体１０５が風向きに応じて風車１０６と共に回転する。このため、蔓性植物Ｐが回転体１０５の外周に回り込んできた場合、回転体１０５の外周に凹凸形状を与える複数本の棒状部材１０４が巻き上がってきた蔓性植物Ｐに繰り返し連続的に衝突する。すると、第１の実施の形体と同様に、蔓性植物Ｐは回転体１０５から逃れようとして回転体１０５の回転中心から遠ざかる方向に進路を変え、いずれ自重で垂れ下がり、地表面ＧＳに向かう。そこで、本実施の形態においても、蔓性植物Ｐが支線１４を巻き上がることを確実に防止し、地絡事故を確実に防止することができる。
【００４０】
（第３の実施の形態）
本発明の蔓性植物巻き上がり防止装置の第３の実施の形態を図１０ないし図１２に基づいて説明する。第１の実施の形体と同一部分は同一符号で示し説明も省略する。
【００４１】
図１０及び図１１は、蔓性植物巻き上がり防止装置１０１を構成する装置本体１０２（回転体１０５及び回転力付与機構としての風車１０６）をそれぞれ上方と下方とから見た斜視図である。本実施の形態の装置本体１０２が第１の実施の形態の装置本体１０２と相違する点は、三点である。一点目は、風車１０６が回転体１０５の内部に配置されておらず、回転体１０５の上部に設けられている点である（第１の点）。二点目は、回転体１０５の外周の凹凸形状を構成する棒状部材１０４の形状である（第２の点）。そして、三点目は、回転体１０５の支持体１０３のうち、下支持体１０３ｂの下面が凹状にへこんでいないという点である（第３の点）。以下、それぞれの相違点について詳細に説明する。
【００４２】
まず、第１の点について説明する。サボニウス型の風車１０６は、回転体１０５を構成する支持体１０３のうちの上支持体１０３ａをその構成要素の一部として、回転体１０５の上部に形成されている。つまり、風車１０６は、円板状の風車支持体３０１と上支持体１０３ａとの間に一対の基体１１１が保持されて形成されている。基体１１１の保持は、風車支持体３０１の上面と上支持体１０３ａの下面とから螺子３０２によって一対の基体１１１をねじ止めすることによってなされている。
【００４３】
図１２は、回転力付与機構（サボニウス型の風車１０６）の分解斜視図である。風車支持体３０１と上支持体１０３ａとには、螺子３０２を挿通させるための螺子挿通孔３０３が形成され、風車１０６を構成する一対の基体１１１の上下面には螺子３０２を螺合させるための螺子孔３０４が形成されている。便宜上、一対の基体１１１の上面側を風車支持体３０１に固定するための螺子３０２を上螺子３０２ａ、一対の基体１１１の下面側を上支持体１０３ａに固定するための螺子３０２を下螺子３０２ｂと呼ぶ。また、風車支持体３０１に形成されている螺子挿通孔３０３を上螺子挿通孔３０３ａ、上支持体１０３ａに形成されている螺子挿通孔３０３を下螺子挿通孔３０３ｂと呼ぶ。また、一対の基体１１１の上面に形成されている螺子孔３０４を上螺子孔３０４ａ、それらの下面に形成されている螺子孔３０４を下螺子孔３０４ｂと呼ぶ。
【００４４】
風車１０６を組み立てるには、ワッシャＷを通した上螺子３０２ａを上螺子挿通孔３０３ａに挿通させて一対の基体１１１の上面に形成された上螺子孔３０４ａに螺合させて締め込み、ワッシャＷを通した下螺子３０２ｂを下螺子挿通孔３０３ｂに挿通させて一対の基体１１１の下面に形成された下螺子孔３０４ｂに螺合させて締め込む。これにより、風車１０６を構成する基体１１１が風車支持体３０１の下面と上支持体１０３ａの上面との間に挟み込まれた状態で連結固定され、風車１０６が完成する。
【００４５】
なお、風車１０６を構成する風車支持体３０１には、その中心に挿通孔３０５が形成されている。この挿通孔３０５は、風車１０６を構成する一対の基体１１１に形成されている挿通孔１１２（上挿通孔１１２ａ、下挿通孔１１２ｂ）、上支持体１０３ａに形成されている上挿通孔１０９ａ及び下支持体１０３ｂに形成されている下挿通孔１０９ｂを通る直線上に配置されている。したがって、これらの各挿通孔３０５、挿通孔１１２（上挿通孔１１２ａ、下挿通孔１１２ｂ）及び挿通孔１０９（上挿通孔１０９ａ、下挿通孔１０９ｂ）は、電柱１１を支える支線１４を挿通させるワイヤ挿通孔１１３を構成する。
【００４６】
次いで、第２の点について説明する。一対の支持体１０３である上支持体１０３ａと下支持体１０３ｂとを連結固定する棒状部材１０４は、直線状のものではなく、下方にいくほど回転体１０５の中心に向かう湾曲形状に形成されている。したがって、全体として、棒状部材１０４は、下すぼまりの例えば鳥籠のような形状に形成されている。このような棒状部材１０４は、一例として鉄等の金属材料を曲げ形成することによって形成され、別の一例として、強化プラスチック等の樹脂材料によって形成されている。
【００４７】
次いで、第３の点について説明する。回転体１０５の支持体１０３のうち、下支持体１０３ｂの下面は、凹状にへこんでいない。したがって、下支持体１０３ｂの下面に形成されている当接部１０８は、平面形状となっている。また、棒状部材１０４が全体として下すぼまりの例えば鳥籠のような形状に形成されていることから、上支持体１０３ａに比べて下支持体１０３ｂは小径となっている。
【００４８】
このような構成において、電柱１１を支持する支線１４を巻き上がり蔓性植物巻き上がり防止装置１０１の当接部１０８に当接した蔓性植物Ｐは、更に上方に巻き上がろうとする。一方で、風を受けた風車１０６が回転すると、これと一体に回転体１０５も回転し、複数本の棒状部材１０４が巻き上がろうとする蔓性植物Ｐに衝突する。この際、棒状部材１０４は、下すぼまりの例えば鳥籠のような形状に形成されていることから、蔓性植物Ｐが上方に向かうほどその衝突の度合いを深める。このため、蔓性植物Ｐは、より確実に、回転体１０５の回転中心から遠ざかる方向に進路を変え、いずれ自重で垂れ下がって地表面ＧＳに向かうことになる。
【００４９】
（第４の実施の形態）
本発明の蔓性植物巻き上がり防止装置の第４の実施の形態を図１３及び図１４に基づいて説明する。第３の実施の形体と同一部分は同一符号で示し説明も省略する。
【００５０】
図１３は、蔓性植物巻き上がり防止装置１０１を構成する装置本体１０２（回転体１０５及び回転力付与機構としての風車１０６）を示す斜視図である。本実施の形態の装置本体１０２が第３の実施の形態の装置本体１０２と相違する点は、二点である。一点目は、回転体１０５の外周の凹凸形状を構成する部材である（第１の点）。二点目は、回転体１０５の支持体１０３のうち、下支持体１０３ｂの下面が凹状にへこんでいるという点である（第２の点）。以下、それぞれの相違点について詳細に説明する。
【００５１】
まず、第１の点について説明する。本実施の形態では、棒状部材１０４が設けられておらず、外周面に凹部４０１と凸部４０２とが連続的に形成された凹凸体４０３が設けられている。凹凸体４０３は、回転体１０５を構成する一対の支持体１０３（上支持体１０３ａ、１０３ｂ）の間に一体的に取り付けられ、回転体１０５を構成している。凹凸体４０３は、一例として、樹脂モールド成形された下面開口の円筒状部材である。凹部４０１及び凸部４０２は、凹凸体４０３の軸心方向に沿って形成されている。
【００５２】
図１４は、蔓性植物巻き上がり防止装置１０１を構成する装置本体１０２（回転体１０５及び回転力付与機構としての風車１０６）の分解斜視図である。凹凸体４０３には、その上面に、電柱１１を支える支線１４を挿通させるための挿通孔４０５と、四つの螺子挿通孔４０６とが一体成形されている。また、凹凸体４０３には、その外周面の下方部分四箇所に、四つの螺子孔４０７が形成されている。そして、回転体１０５を構成する支持体１０３の一部である上支持体１０３ａには、凹凸体４０３の螺子挿通孔４０６に対応する位置に四つの螺子孔（図示せず）が形成されている。更に、回転体１０５を構成する支持体１０３の一部である下支持体１０３ｂには、凹凸体４０３の下部を嵌合させることができるフランジ４０８が形成され、このフランジ４０８には、凹凸体４０３の螺子孔４０７に対応する位置に四つの螺子挿通孔４０９が形成されている。
【００５３】
そこで、上支持体１０３ａに対して凹凸体４０３を取り付けるには、上支持体１０３ａの下面に凹凸体４０３の上面を接合させた状態で、ワッシャＷを通した四本の螺子４１０を凹凸体４０３の四つの螺子挿通孔４０６にそれぞれ挿通させて上支持体１０３ａの四つの螺子孔（図示せず）にそれぞれ螺合させて締め込む。これにより、上支持体１０３ａの下面に凹凸体４０３の上部が連結固定される。
【００５４】
また、下支持体１０３ｂに凹凸体４０３を取り付けるには、下支持体１０３ｂの上面に形成されたフランジ４０８に凹凸体４０３の下部を嵌合させて下支持体１０３ｂの上面に凹凸体４０３の下面を接合させた状態で、ワッシャＷを通した四本の螺子４１１をフランジ４０８の四つの螺子挿通孔４０９にそれぞれ挿通させて凹凸体４０３の四つの螺子孔４０７にそれぞれ螺合させて締め込む。これにより、下支持体１０３ｂの上面に凹凸体４０３の下部が連結固定される。
【００５５】
なお、凹凸体４０３の上面に形成された挿通孔４０５は、凹凸体４０３の中心に配置されている。この挿通孔４０５は、風車１０６を構成する風車支持体３０１に形成されている挿通孔３０５、風車１０６を構成する一対の基体１１１に形成されている挿通孔１１２（上挿通孔１１２ａ、下挿通孔１１２ｂ）、上支持体１０３ａに形成されている上挿通孔１０９ａ及び下支持体１０３ｂに形成されている下挿通孔１０９ｂを通る直線上に配置されている。したがって、これらの各挿通孔３０５、挿通孔１１２（上挿通孔１１２ａ、下挿通孔１１２ｂ）、挿通孔１０９（上挿通孔１０９ａ、下挿通孔１０９ｂ）及び挿通孔４０５は、電柱１１を支える支線１４を挿通させるワイヤ挿通孔１１３を構成する。
【００５６】
次いで、第２の点について説明する。回転体１０５の支持体１０３のうち、下支持体１０３ｂは、第１及び第２の実施の形体と同様に、その下面が凹状にへこんでいる。つまり、下支持体１０３ｂは、椀形状をしている。このような椀形状をなす下支持体１０３ｂの下面は、当接部１０８となっている。
【００５７】
このような構成において、例えば春から夏にかけて繁殖した蔓性植物Ｐが電柱１１を支持する支線１４を巻き上がり、蔓性植物巻き上がり防止装置１０１にまで達すると、まず、装置本体１０２の下面に形成されている当接部１０８に当接する。すると、当接部１０８を含む下支持体１０３ｂの下面は凹状にへこんだ椀形状をしていることから、当接部１０８に当接した蔓性植物Ｐは、その椀形状に沿って下方に進行方向を向ける（図８中のＡで指し示す丸形一点鎖線参照）。
【００５８】
これに対して、下支持体１０３ｂの下面の椀形状に沿って一旦は下方に進行方向を向けた蔓性植物Ｐが、再度上方に進行方向を向けて装置本体１０２を巻き上がることが予想される。この際、装置本体１０２は、前述したように、風車１０６と一体に連結結合された回転体１０５が風向きに応じて風車１０６と共に回転する。これにより、回転体１０５に設けられている凹凸体４０３の外周面に形成されている凹部４０１及び凸部４０２が巻き上がってきた蔓性植物Ｐに繰り返し連続的に衝突する。すると、蔓性植物Ｐは、回転体１０５から逃れようとし、回転体１０５の回転中心から遠ざかる方向に進路を変える（図８中のＢで指し示す丸形一点鎖線参照）。その結果、蔓性植物Ｐはいずれ自重で垂れ下がり、地表面ＧＳに向かう。したがって、蔓性植物Ｐが電柱１１を支持する支線１４を巻き上がることを確実に防止することができ、地絡事故防止が図られる。
【００５９】
（第５の実施の形態）
本発明の蔓性植物巻き上がり防止装置の第５の実施の形態を図１５ないし図１８に基づいて説明する。第１の実施の形体と同一部分は同一符号で示し説明も省略する。
【００６０】
図１５は、蔓性植物巻き上がり防止装置１０１を構成する装置本体１０２（回転体１０５及び回転力付与機構）を示す斜視図である。本実施の形態が第１の実施の形態の蔓性植物巻き上がり防止装置１０１と相違する点は、回転体に回転力を付与する回転力付与機構である。つまり、第１の実施の形態では、回転力付与機構としてサボニウス型の風車１０６が用いられているのに対して、本実施の形態では、太陽電池５０１をエネルギー源として駆動されるモータ５０２（図１６、図１７参照）を動力源とする回転力付与機構５０３が用いられている。
【００６１】
図１６は、蔓性植物巻き上がり防止装置１０１を構成する装置本体１０２（回転体１０５及び回転力付与機構５０３）の分解斜視図である。この斜視図は、支持体１０３のうちの上支持体１０３ａから上方に位置する部材を下方から見た斜視図として表現し、複数本の棒状部材１０４から下方に位置する部材を上から見た斜視図として表現している。回転力付与機構５０３は、円筒形状のハウジング５０４の上面に、平べったい円盤形状の太陽電池ホルダ５０５に受光部５０６を収納保持して形成された太陽電池５０１が固定されて形成されている。太陽電池５０１はハウジング５０４よりも小径であり、ハウジング５０４と同軸上に位置付けられている。このような太陽電池ホルダ５０５は、平べったい円盤形状を八分割した受光部５０６を収納保持している。一例として、ハウジング５０４及び太陽電池５０１の太陽電池ホルダ５０５は、いずれも樹脂モールド成型によって製造されている。
【００６２】
回転体１０５を構成する支持体１０３の一部である上支持体１０３ａには、同軸上に、太陽電池５０１を嵌合させることができる嵌合孔５０７が形成されている。したがって、回転力付与機構５０３は、太陽電池５０１を嵌合孔５０７に嵌合させることで、上支持体１０３ａに接合した状態を維持する。
【００６３】
回転体１０５を構成する支持体１０３の一部である下支持体１０３ｂには、同軸上に、段部５０８と露出孔５０９とが形成されている。段部５０８は、回転力付与機構５０３のハウジング５０４の下部を嵌合させることができる大きさ及び形状に形成されている。露出孔５０９は、段部５０８よりも小径に形成されている。したがって、回転力付与機構５０３は、ハウジング５０４の下部を段部５０８に嵌合させることで、下支持体１０３ｂに接合した状態を維持する。
【００６４】
装置本体１０２は、回転力付与機構５０３を一対の支持体１０３（上支持体１０３ａ、下支持体１０３ｂ）に接合させた状態で、これらの支持体１０３の間に介在させた棒状部材１０４を上下一対の螺子１１０（上螺子１１０ａ、下螺子１１０ｂ）でねじ止めすることによって製造されている。
【００６５】
図１７は、回転力付与機構５０３の分解斜視図である。ハウジング５０４は、その軸方向と直交する方向に二分割される二分割構造を有している。二分割された一方のハウジング５０４ａの上板には凸片５１０が形成され、もう一方のハウジング５０４ｂの上板には凸片５１０を嵌合させる凹部５１１が形成されている。また、凸片５１０が形成されている方のハウジング５０４ａには、内部に円板状の中間板５１２が一体に形成されている。この中間板５１２は、前述したモータ５０２等の電気部品を取り付けるために用いられる。また、一方のハウジング５０４ａともう一方のハウジング５０４ｂとの下板には、接合されて一体化されたハウジング５０４となった場合に円形となる下孔５１３が形成されている。下孔５１３は、下支持体１０３ｂに形成されている露出孔５０９（図１６参照）と同一径に形成されている。これらの露出孔５０９及び下孔５１３は、電柱１１を支える支線１４に取り付けられた装置本体１０２の自由落下を規制するストッパ１０７を挿通させるためのものである。
【００６６】
次いで、太陽電池５０１と一方のハウジング５０４ａに形成されている凸片５１０と中間板５１２とには、それぞれ、一直線上に揃えられて挿通孔５１４、５１５、５１６が形成されている。これらの挿通孔５１４、５１５、５１６は、装置本体１０２の軸心位置に形成され、電柱１１を支える支線１４を所定の遊びをもって挿通させる径に形成されている。したがって、各挿通孔５１４、５１５、５１６は、所定の遊びをもって支線１４を挿通させるためのワイヤ挿通孔１１３（図１５、図１６も参照のこと）を構成する。
【００６７】
更に、凸片５１０及び中間板５１２が形成されている方のハウジング５０４ａには、その上板にリード線挿通孔５１７が形成されている。このリード線挿通孔５１７は、前述した中間板５１２に取り付けられているモータ５０２の駆動回路５１８と太陽電池５０１とを接続するリード線５１９を通すための孔である。
【００６８】
図１８は、全体の縦断正面図である。ハウジング５０４の中間部分に設けられている中間板５１２の下面には、挿通孔５１６の周囲に位置させて、互いに面接触することによって軸受けとして機能するスラスト軸受け５２０の一方（スラスト軸受け５２０ａ）が固定されている。スラスト軸受け５２０のもう一方（スラスト軸受け５２０ｂ）は、ストッパ１０７の上面のワイヤ挿通孔１１４の周囲に形成されている。したがって、電柱１１を支える支線１４に取り付けられた装置本体１０２がストッパ１０７によって自由落下を規制されている状態では、一対のスラスト軸受け５２０（スラスト軸受け５２０ａ、スラスト軸受け５２０ｂ）が互いに接合し、装置本体１０２の回転動作が円滑になる。
【００６９】
ハウジング５０４の中間部分に設けられている中間板５１２には、モータ孔５２１が形成され、この部分にモータ５０２が取り付けられている。モータ５０２は、回転軸５０２ａを有するその先端部が小径に形成され、この小径部分がモータ孔５２１から中間板５１２の下方に飛び出している。そして、モータ５０２の回転軸５０２ａには、駆動ギヤ５２２が固定され、この駆動ギヤ５２２は、ストッパ１０７に固定されている従動ギヤ５２３に噛合可能となっている。つまり、電柱１１を支える支線１４に取り付けられた装置本体１０２がストッパ１０７によって自由落下を規制され、一対のスラスト軸受け５２０（スラスト軸受け５２０ａ、スラスト軸受け５２０ｂ）が互いに接合している状態で、駆動ギヤ５２２と従動ギヤ５２３とが互いに噛み合うように各部が構成されている。ここに、モータ５０２の回転駆動力を支線１４の側に伝達することによって回転体１０５を回転させる動力伝達機構ＤＴが構成されている。
【００７０】
このような構成において、太陽電池５０１は、その受光部５０６が受光した光エネルギーを電気エネルギーに変換し、変換した電気エネルギーをリード線５１９を介してモータ５０２の駆動回路５１８に伝える。これにより、駆動回路５１８は受け取った電気エネルギーをもってモータ５０２を駆動する。これにより、モータ５０２の回転軸５０２ａが回転駆動されることで駆動ギヤ５２２が回転する。すると、電柱１１を支える支線１４に固定されているストッパ１０７と一体である従動ギヤ５２３に駆動ギヤ５２２が噛合していることから、駆動ギヤ５２２は自転しながら従動ギヤ５２３の周囲を公転する。その結果、回転体１０５が支線１４を中心として回転することになる。換言すると、駆動ギヤ５２２及び従動ギヤ５２３によって構成される動力伝達機構ＤＴが、モータ５０２の回転駆動力を支線１４の側に伝達することによって回転体１０５を回転させることになる。
【００７１】
このようなことから、電柱１１を支える支線１４を蔓性植物Ｐが巻き上がり、装置本体１０２の回転体１０５の外周まで達すると、回転体１０５の外周に凹凸形状を与える複数本の棒状部材１０４が巻き上がってきた蔓性植物Ｐに繰り返し連続的に衝突することになる。これにより、蔓性植物Ｐは、回転体１０５から逃れようとし、回転体１０５の回転中心から遠ざかる方向に進路を変える（図８中のＢで指し示す丸形一点鎖線参照）。その結果、蔓性植物Ｐはいずれ自重で垂れ下がり、地表面ＧＳに向かう。したがって、蔓性植物Ｐが電柱１１を支持する支線１４を巻き上がることを確実に防止することができ、地絡事故防止が図られる。
【図面の簡単な説明】
【００７２】
【図１】電柱の支線に蔓性植物巻き上がり防止装置が取り付けられている状態の一例を示す正面図である。
【図２】本発明の蔓性植物巻き上がり防止装置の第１の実施の形態として、装置本体（回転体及び回転力付与機構）を示す斜視図である。
【図３】その底面図である。
【図４】ストッパの斜視図である。
【図５】電柱の支線に対する蔓性植物巻き上がり防止装置の取り付け構造を説明するための分解斜視図である。
【図６】装置本体（回転体及び回転力付与機構）の分解斜視図である。
【図７】回転力付与機構（サボニウス型の風車）の分解斜視図である。
【図８】蔓性植物巻き上がり防止装置が蔓性植物の巻き上がりを防止している状態を説明するための斜視図である。
【図９】本発明の蔓性植物巻き上がり防止装置の第２の実施の形態として、装置本体（回転体及び回転力付与機構）を示す斜視図である。
【図１０】本発明の蔓性植物巻き上がり防止装置の第３の実施の形態として、装置本体（回転体及び回転力付与機構）を上方から見た斜視図である。
【図１１】その下方から見た斜視図である。
【図１２】回転力付与機構（サボニウス型の風車）の分解斜視図である。
【図１３】本発明の蔓性植物巻き上がり防止装置の第４の実施の形態として、装置本体（回転体及び回転力付与機構）を示す斜視図である。
【図１４】その分解斜視図である。
【図１５】本発明の蔓性植物巻き上がり防止装置の第５の実施の形態として、装置本体（回転体及び回転力付与機構）を示す斜視図である。
【図１６】その分解斜視図である。
【図１７】回転力付与機構の分解斜視図である。
【図１８】全体の縦断正面図である。
【符号の説明】
【００７３】
１１    電柱
１４    支線
１０３  支持体
１０４  棒状部材
１０５  回転体
１０６  風車（回転力付与機構）
１０７  ストッパ
１０８  当接部
５０１  太陽電池
５０２  モータ
５０３  回転力付与機構
ＤＴ    動力伝達機構
【図１】
2009131102.tif 000003
【図２】
2009131102.tif 000004
【図３】
2009131102.tif 000005
【図４】
2009131102.tif 000006
【図５】
2009131102.tif 000007
【図６】
2009131102.tif 000008
【図７】
2009131102.tif 000009
【図８】
2009131102.tif 000010
【図９】
2009131102.tif 000011
【図１０】
2009131102.tif 000012
【図１１】
2009131102.tif 000013
【図１２】
2009131102.tif 000014
【図１３】
2009131102.tif 000015
【図１４】
2009131102.tif 000016
【図１５】
2009131102.tif 000017
【図１６】
2009131102.tif 000018
【図１７】
2009131102.tif 000019
【図１８】
2009131102.tif 000020